(57)【特許請求の範囲】
【請求項１】
両端に開口部を有するケースと、前記ケースの先端側に収納され物体を検知する検出コイル部と、前記検出コイル部と電気的に接続された回路部を有し前記ケースに収納された基板と、前記基板の回路部と電気的に接続された内ケーブルを有し前記ケースの後端側から導出されるケーブルと、前記ケースの後端側開口部に嵌着され前記ケーブルを保持するケーブルホルダと、前記ケースの内部に充填される充填材とを備えた近接スイッチにおいて、前記内ケーブルを挿通して前記ケーブルの端部に嵌着されるケーブルキャップを有し、このケーブルキャップの先端に一体的に形成された被係止部を有し、この被係止部はケーブルキャップ側を小径として拡径する円錐台形状を呈するものであり、さらに前記ケーブルキャップはケーブルホルダのキャップ保持部に挿通固定されると共に、その被係止部の周囲が充填材で覆われていることを特徴とする近接スイッチ。
【発明の詳細な説明】
【０００１】
【発明の属する技術分野】
この発明は、高周波発振型の近接スイッチに関するものである。
【０００２】
【従来の技術】
従来の近接スイッチとして種々のものが提供されているが、減圧環境下でケース内に充填材を注入する場合にケーブルの中（ケーブル被覆と内ケーブルの隙間）に充填材が浸入しないようにした近接スイッチが、例えば、特開平９−９２１０５号公報に開示されている。
図４は特開平９−９２１０５号公報に開示された従来の近接スイッチを示す斜視図、図５は図４の要部断面図、図６はケーブルキャップを示す斜視図、図７はケーブルキャップの剥離状態を示す断面図である。
図４〜図７において、１０１はコイル、１０２はコイル１０１が巻き付けられたコイルスプール、１０３はコイルスプール１０２を収納するコア、１０４はコア１０３の裏面に接続されたプリント基板、１０５はプリント基板１０４の発振回路部を覆うシールドフィルムである。
【０００３】
１０６はコア１０３を収納するコイルケース、１１１はコイルケース１０６を収納する円筒状のベース金具、１１２はベース金具１１１の背面側の端部に嵌挿され、ケーブル１１３を保持するクランプ部、１１３ａは内ケーブル、１１４は樹脂製の充填材、１１５は充填材１１４を充填するための充填用開口部である。
【０００４】
１１６はケーブル１１３の被覆と内ケーブル１１３ａの隙間を遮断するために、内ケーブル１１３ａを挿通してケーブル１１３の端部に装着するケーブルキャップ、１１６ａは嵌挿されたケーブル１１３の端部を保持する保持部である。
【０００５】
また、図７において、１１７ａはケーブルキャップ１１６と充填材１１４との間に生じた剥離部、１１７ｂはケーブルキャップ１１６とケーブル１１３の端部に生じた剥離部である。
【０００６】
次に近接スイッチの組立工程の概略を説明する。
図４および図５に示すように、コイルスプール１０２をコア１０３に収納し、これをコイルケース１０６に収納してから１次充填材を充填する。
また、ケーブル１１３をクランプ部１１２に挿通し、内ケーブル１１３ａをケーブルキャップ１１６に挿通してケーブル１１３の端部を保持部１１６ａによって保持する。このとき、ケーブルキャップ１１６はクランプ部１１２の内部に嵌挿され装着される。内ケーブル１１３ａは基板１０４の所定位置に接続され、クランプ部１１２はベース金具１１１に装着され、またコイルケース１０６はベース金具１１１内に組み付けられる。
【０００７】
次に、このようにして構成された近接スイッチを、図示しない金型内に収納して真空状態とする。そして、クランプ部１１２の充填用開口部１１５から高温の充填材１１４を低圧にて注入することにより、充填材１１４がベース金具１１１内の全体に充填され、ケーブルキャップ１１６はこの充填材１１４によってクランプ部１１２の内部に固定される。
【０００８】
【発明が解決しようとする課題】
従来の近接スイッチは以上のように構成されているので、図７に示すように、クランプ部１１２に保持されたケーブル１１３に屈曲ストレスが加わると、ケーブルキャップ１１６は充填材１１４と面接触しているだけであるので、当該接触部に剥離部１１７ａが生じてシール性が損なわれ、当該部分から水や油などが浸入してしまうなどの課題があった。
【０００９】
また、ケーブルキャップ１１６はクランプ部１１２内に装着されるという構造上の制約から、内ケーブル１１３ａに深くはめ込むことができず、ケーブルキャップ１１６とケーブル１１３の端部に剥離部１１７ｂが生じてシール性が損なわれ、当該部分からも水や油などが浸入してしまうなどの課題があった。
【００１０】
この発明は上記のような課題を解決するためになされたもので、ケーブルキャップの近傍に剥離が生じるのを防止し、シール性を確実に担保できる近接スイッチを得ることを目的とする。
【００１１】
【課題を解決するための手段】
この発明に係る近接スイッチは、両端に開口部を有するケースと、前記ケースの先端側に収納され物体を検知する検出コイル部と、前記検出コイル部と電気的に接続された回路部を有し前記ケースに収納された基板と、前記基板の回路部と電気的に接続された内ケーブルを有し前記ケースの後端側から導出されるケーブルと、前記ケースの後端側開口部に嵌着され前記ケーブルを保持するケーブルホルダと、前記ケースの内部に充填される充填材とを備えた近接スイッチにおいて、前記内ケーブルを挿通して前記ケーブルの端部に嵌着されるケーブルキャップを有し、このケーブルキャップの先端に一体的に形成された被係止部を有し、この被係止部はケーブルキャップ側を小径として拡径する円錐台形状を呈するものであり、さらに前記ケーブルキャップはケーブルホルダのキャップ保持部に挿通固定されると共に、その被係止部の周囲が充填材で覆われているものである。
【００１３】
【発明の実施の形態】
以下、この発明の実施の一形態を説明する。
実施の形態１．
図１はこの発明の実施の形態１による近接スイッチを示す断面図であり、図１において、１はコイル（検出コイル部）、２はコイル１を巻き付けたコイルスプール（検出コイル部）、３はコイルスプール２を収納保持するフェライトコア（検出コイル部）、４はフェライトコア３の裏面に接続され、各種の電子部品が実装された基板である。６はフェライトコア３を収納するために有底円筒状に形成されたコイルケース（検出コイル部）であり、その外周面には線状突起部７が一体的に形成されている。この線状突起部７は、後述する筒状ケース１１の内周面と当接するように形成してあり、後述する充填材２１が２次充填の際に筒状ケース１１の外部に漏れ出さないようにするためのものである。
１１はコイルケース６や基板４などを収納する円筒状の筒状ケース（ケース）であり、外周面にはネジ部１１ａが形成されている。１２はケーブル、１２ａは内ケーブルである。
【００１４】
１３は内ケーブル１２ａを挿通してケーブル１２の端部に嵌着されるケーブルキャップであり、全体を円柱状に形成され、後述するキャップ保持部１４ａによって保持されるようになっている。また、このケーブルキャップ１３は、後述する充填材２１によって周囲を覆われる被係止部１３ａを一体的に備えている。この被係止部１３ａは、基板４側に外径が拡大する円錐台状に形成され、ケーブルキャップ１３の円柱部に一体的に形成されている。
【００１５】
また、１３ｂは後述するケーブルホルダ１４の外部に突出してケーブル１２を保持する屈曲緩衝部であり、この突出長さを十分に確保することによってケーブル１２を確実に保持しシール性を確保するとともに、当該部分のケーブル１２に加わる屈曲ストレスを低減するためのものである。
１３ｃはケーブル１２の適度な屈曲性を担保するために屈曲緩衝部１３ｂに形成された溝部である。
【００１６】
このケーブルキャップ１３は、ケーブル１２を金型に差し込み、射出成型によって製造されているが、これに限られず、別体として形成したものをケーブル１２に接着固定してもよい。
【００１７】
１４は２重円筒状に形成され、ケーブルキャップ１３を挿通して保持するキャップ保持部１４ａを有したケーブルホルダである。また、このケーブルホルダ１４には、後述する充填材２１を減圧環境下で注入するための充填材注入口１５や空気排出路２０が設けられている。
【００１８】
２１は充填材であり、例えば、溶融シリカ含有の熱硬化型エポキシ樹脂（充填時における５０℃での粘度が約４００００ｃＰ程度であり、比較的高粘度のもの）を使用している。
【００１９】
次に近接スイッチの組立工程の概略を説明する。
図１に示すように、コイルスプール２をフェライトコア３に収納し、これをコイルケース６に収納してから１次充填材を充填する。
また、射出成型によりケーブル１２の端部に形成されたケーブルキャップ１３は、ケーブルホルダ１４のキャップ保持部１４ａに挿通固定される。
また、内ケーブル１２ａは基板４の回路部の所定位置に電気的に接続され、ケーブルホルダ１４は筒状ケース１１の後端側開口部に嵌着され、さらにコイルケース６は筒状ケース１１の先端側に収納される。
【００２０】
次に、筒状ケース１１内に充填材２１を充填する場合には、上記のように１次充填された近接スイッチを、図示しない減圧器に収納する。そして、図示しない充填材注入ノズルをケーブルホルダ１４の充填材注入口１５にセットし、当該減圧器を１〜２torrの真空度まで減圧する。
このとき、ケーブルホルダ１４の空気排出路２０から空気が外部に吸引され、近接スイッチ内部の圧力も低下する。この状態で、上記充填材注入ノズルにより充填材注入口１５から充填材２１を注入する（充填時の温度は５０℃程度）。
これにより、筒状ケース１１内の全体に充填材２１が充填される。その後、上記減圧器から近接スイッチを取り出し、所定温度に加熱して充填材２１を硬化させる。
【００２１】
ケーブルキャップ１３の被係止部１３ａは、硬化した充填材２１によって周囲を固定されており、かつ、基板４側に外径が拡大する円錐台状に形成されているので、ケーブルキャップ１３が外方に抜けにくくなるとともに、ケーブル１２に屈曲ストレスが加わっても、ケーブルキャップ１３が充填材２１やケーブル１２と剥離しにくくなる。
また、被係止部１３ａによって充填材２１との接触面積が格段に増大し、水などの浸入経路が長くなるので、シール性が向上する。
【００２２】
また、ケーブル１２は、ケーブルキャップ１３を介してキャップ保持部１４ａの内周面によって強固に保持されるとともに、ケーブルホルダ１４の外部に突出した屈曲緩衝部１３ｂによって屈曲ストレスが低減されるので、ケーブルキャップ１３と剥離しにくくなる。
したがって、水などの浸入経路が長くなるので、シール性が向上する。また、キャップ保持部１４ａと屈曲緩衝部１３ｂとを設けたことによって、全長を抑えたまま効率良くシール性を向上できるので、近接スイッチの小型化にも寄与する。
【００２３】
以上のように、この実施の形態１によれば、ケーブルキャップ１３の近傍に剥離が生じるのを防止し、シール性を確実に担保できる効果が得られる。
【００２４】
なお、上記実施の形態１においては、被係止部１３ａを円錐台状に形成するものとして説明したが、これに限られず、図２に示すように、充填材２１が満たされる溝部（被係止部）１３ｄを設けることによっても上記と同様の効果を期待できる。
また、図３に示すように、鍔部（被係止部）１３ｅを設けることによっても上記と同様の効果を期待できる。
ここで、図２および図３は他の被係止部を示す断面図である。
【００２５】
【発明の効果】
以上のように、この発明によれば、基板の回路部と電気的に接続された内ケーブルを有するケーブルの端部に嵌着され、前記内ケーブルを挿通するケーブルキャップの先端に、当該ケーブルキャップ側を小径として拡径する円錐台形状の被係止部を一体的に形成し、この被係止部をケーブルホルダのキャップ保持部に挿通固定すると共に、その被係止部の周囲をケース内部に充填された充填材で覆うように構成したので、ケーブルキャップの円錐台形状を呈する被係止部はケース内部の充填材で強固に保持されることとなり、このため、ケーブルキャップが外方に抜けにくくなるとともに、ケーブルに屈曲ストレスが加わっても、ケーブルキャップが充填材やケーブルと剥離しにくくなるという効果がある。また、前記被係止部によって充填材との接触面積が格段に増大するので、水などの浸入経路が長くなってシール性が向上するという効果がある。
【図面の簡単な説明】
【図１】この発明の実施の形態１による近接スイッチを示す断面図である。
【図２】他の被係止部を示す断面図である。
【図３】他の被係止部を示す断面図である。
【図４】従来の近接スイッチを示す斜視図である。
【図５】図４の要部断面図である。
【図６】ケーブルキャップを示す斜視図である。
【図７】ケーブルキャップの剥離状態を示す断面図である。
【符号の説明】
１  コイル（検出コイル部）
２  コイルスプール（検出コイル部）
３  フェライトコア（検出コイル部）
４  基板
６  コイルケース（検出コイル部）
１１  筒状ケース（ケース）
１２  ケーブル
１２ａ  内ケーブル
１３  ケーブルキャップ
１３ａ  被係止部
１３ｂ  屈曲緩衝部
１３ｄ  溝部（被係止部）
１３ｅ  鍔部（被係止部）
１４  ケーブルホルダ
２１  充填材
【図１】
0003756325.tif 000002
【図２】
0003756325.tif 000003
【図３】
0003756325.tif 000004
【図４】
0003756325.tif 000005
【図５】
0003756325.tif 000006
【図６】
0003756325.tif 000007
【図７】
0003756325.tif 000008